(57)【特許請求の範囲】
【請求項１】
ＲＧＢ信号入力の直流成分をコントロールして前記直流成分が低電圧の時は前記直流成分電圧を高くするＤＣ制御回路と、前記ＤＣ制御回路の出力信号を増幅するドライブ回路と、前記ドライブ回路から出力されるＲＧＢ出力信号のペデスタル電圧と基準直流電圧とを比較してその差に応じた電流を出力するペデスタル比較回路と、前記ペデスタル比較回路から出力される出力電流を蓄積するアース接地されたコンデンサと、前記ドライブ回路から出力されるＲＧＢ信号が入力されるＣＲＴドライブ回路の入力トランジスタをカットオフさせて前記入力トランジスタのコレクタに接続された出力トランジスタのコレクタから出力される直流電圧レベルを高くして前記ＣＲＴドライブ回路の出力トランジスタのコレクタに接続されたＣＲＴドライブ端子電圧を高くするカットオフ回路と、前記カットオフ回路を電源ＯＮ時から一定時間動作させるパルス入力手段とを備え、電源ＯＮ時に前記ＤＣ制御回路が前記ＲＧＢ信号のＤＣ成分を高くする制御をしても、前記パルス入力により前記カットオフ回路を電源ＯＮ時から一定時間動作させて電源ＯＮ時にＣＲＴドライブ端子電圧を高くすることにより、前記ドライブ回路から出力され前記ＣＲＴドライブ回路の入力トランジスタのベースに入力される前記ＲＧＢ信号の直流成分電圧が低くなるようにしたことを特徴とする電源ＯＮ時の異常発光除去回路。
【請求項２】
ＲＧＢ信号入力の直流成分をコントロールして前記直流成分が低電圧の時は前記直流成分電圧を高くするＤＣ制御回路と、前記ＤＣ制御回路の出力信号を増幅するドライブ回路と、前記ドライブ回路から出力されるＲＧＢ出力信号のペデスタル電圧と基準直流電圧とを比較してその差に応じた電流を出力するペデスタル比較回路と、前記ペデスタル比較回路から出力される出力電流を蓄積するアース接地されたコンデンサと、前記ドライブ回路から出力されるＲＧＢ信号が入力されるＣＲＴドライブ回路の出力トランジスタをカットオフさせて前記ＣＲＴドライブ回路の前記出力トランジスタのコレクタから出力される直流電圧レベルを高くして前記出力トランジスタのコレクタに接続されたＣＲＴドライブ端子電圧を高くするカットオフ回路と、前記カットオフ回路を電源ＯＮ時から一定時間動作させるパルス入力手段とを備え、電源ＯＮ時に前記ＤＣ制御回路が前記ＲＧＢ信号のＤＣ成分を高くする制御をしても、前記パルス入力により前記カットオフ回路を電源ＯＮ時から一定時間動作させて電源ＯＮ時にＣＲＴドライブ端子電圧を高くすることにより、前記ドライブ回路から出力され前記ＣＲＴドライブ回路の入力トランジスタのベースに入力される前記ＲＧＢ信号の直流成分電圧が低くなるようにしたことを特徴とする電源ＯＮ時の異常発光除去回路。
【請求項３】
ＲＧＢ信号入力の直流成分をコントロールして前記直流成分が低電圧の時は前記直流成分電圧を高くするＤＣ制御回路と、前記ＤＣ制御回路の出力信号を増幅するドライブ回路と、前記ドライブ回路から出力されるＲＧＢ出力信号のペデスタル電圧と基準直流電圧とを比較してその差に応じた電流を出力するペデスタル比較回路と、前記ペデスタル比較回路から出力される出力電流を蓄積するアース接地されたコンデンサと、前記ドライブ回路から出力されるＲＧＢ信号が入力されるＣＲＴドライブ回路の出力トランジスタのコレクタ電圧をＨＩＧＨにして前記ＣＲＴドライブ回路の前記出力トランジスタのコレクタから出力される直流電圧レベルを高くして前記出力トランジスタのコレクタに接続されたＣＲＴドライブ端子電圧を高くするドライブオフ回路と、前記ドライブオフ回路を電源ＯＮ時から一定時間動作させるパルス入力手段とを備え、電源ＯＮ時に前記ＤＣ制御回路が前記ＲＧＢ信号のＤＣ成分を高くする制御をしても、前記パルス入力により前記ドライブオフ回路を電源ＯＮ時から一定時間動作させて電源ＯＮ時にＣＲＴドライブ端子電圧を高くすることにより、前記ドライブ回路から出力され前記ＣＲＴドライブ回路の入力トランジスタのベースに入力される前記ＲＧＢ信号の直流成分電圧が低くなるようにしたことを特徴とする電源ＯＮ時の異常発光除去回路。
【請求項４】
直流成分がコントロールされたＲＧＢ信号入力を増幅するＣＲＴドライブ回路に入力する前のＲＧＢ信号を出力するドライブ回路と、前記ドライブ回路から出力されるＲＧＢ信号と基準電圧とをペデスタル期間だけ比較し、その差に応じて直流電流を出力するペデスタル比較回路と、前記ペデスタル比較回路から出力される出力電流を蓄積するとともに電源ＯＮ時に前記ＲＧＢ信号出力がＬＯＷよりはじまるようアースをＶＣＣにしたコンデンサと、前記コンデンサに蓄積された電圧を入力としＲＧＢ信号のＤＣ成分を制御するＤＣ制御回路とを備え、前記コンデンサのアースをＶＣＣにして、電源ＯＮ時に前記コンデンサの端子電圧を高くすることにより、電源ＯＮ時に前記ＤＣ制御回路が前記ＲＧＢ出力信号のＤＣ成分を高くする制御を行わないようにしたことを特徴とする電源ＯＮ時の異常発光除去回路。
【発明の詳細な説明】
【０００１】
【産業上の利用分野】
本発明は、カラーテレビジョン受信機の電源ＯＮ時にＣＲＴ（陰極線管）が異常に光ることを防ぐための電源ＯＮ時の異常発光除去回路に関するものである。
【０００２】
【従来の技術】
近年、カラーテレビジョン受信機の大型化に伴い高品位のテレビジョン受信機が望まれている。例えば、電源ＯＮ時にＣＲＴの異常発光を防ぐ異常発光除去回路が重要視されている。
【０００３】
以下、図面を参照しながら、上述した従来の電源ＯＮ時異常発光除去回路の一例について説明を行う。
【０００４】
図８は、電源ＯＮ時異常発光除去回路を備えていないテレビジョン受信機のブロック構成図である。このブロック構成図はＣＲＴドライブ回路に入力する前のＲＧＢクランプ回路に相当する所である。図８において５０１は同期信号下向きのＲＧＢ入力信号、５０２は増幅されかつペデスタルクランプされたＲＧＢ信号出力、５０３はペデスタル比較回路の出力直流電圧、５０４はＲＧＢ入力信号の直流成分をコントロールするＤＣ制御回路、５０５は前記ＤＣ制御回路５０４の出力信号を増幅するドライブ回路を示す。５０６はＲＧＢ出力信号のペデスタル電圧と基準直流電圧とを比較し、その差に応じた電流を出力するペデスタル比較回路。５０７は前記ペスタル比較回路５０６に入力する基準ＤＣ電圧、５０８は前記ペデスタル比較回路５０６の出力電流を蓄えるコンデンサーである。
【０００５】
以上のように構成された回路の動作について説明する。
まず、ペデスタル比較回路５０６はＲＧＢ信号のペデスタル部分だけ動作する回路であり、ＲＧＢ出力信号５０２のペデスタル電圧が基準ＤＣ５０７よりも低い時、コンデンサー５０８に流れ込む電流は少なくなり、その結果出力直流電圧５０３は低くなる。すると、ＤＣ制御回路５０４はＲＧＢ入力信号５０１のＤＣ成分を高くしようと働くため、ＲＧＢ出力信号５０２のＤＣ成分は高くなる。最終的には基準ＤＣ５０７とＲＧＢ出力信号５０２のペデスタルＤＣとが一致するようになる。
【０００６】
【発明が解決しようとする課題】
しかしながら上記のような構成では、電源ＯＮ時にコンデンサー５０８に十分な電流が流れておらず、直流電圧５０３は０Ｖに近くなっている。そうすると、ＤＣ制御回路５０４はＲＧＢ出力信号５０２のＤＣ成分を高くしようと働く。ＲＧＢ出力信号５０２のＤＣ成分が高くなっても、ペデスタル比較回路５０６からコンデンサー５０８に流れる出す電流は最大値が決まっており、直流電圧５０３は図９（ａ）のようになる。そのため、ＲＧＢ出力信号５０２のペデスタル電圧は電源ＯＮ時に高くなり、その結果ＣＲＴが異常発光をするという問題点を有していた。（図９（ｂ）参照）
本発明は上記問題点に鑑み、電源ＯＮ時の異常発光除去を提供するものである。
【０００７】
【課題を解決するための手段】
上記問題点を解決するために本発明の電源ＯＮ時の異常発光除去回路は、電源ＯＮ時にある一定時間だけアクティブになり、ＣＲＴの発光を抑えるために、ＲＧＢ信号入力の直流成分をコントロールして前記直流成分が低電圧の時は前記直流成分電圧を高くするＤＣ制御回路と、前記ＤＣ制御回路の出力信号を増幅するドライブ回路と、前記ドライブ回路から出力されるＲＧＢ出力信号のペデスタル電圧と基準直流電圧とを比較してその差に応じた電流を出力するペデスタル比較回路と、前記ペデスタル比較回路から出力される出力電流を蓄積するアース接地されたコンデンサと、前記ドライブ回路から出力されるＲＧＢ信号が入力されるＣＲＴドライブ回路の入力トランジスタをカットオフさせて前記入力トランジスタのコレクタに接続された出力トランジスタのコレクタから出力される直流電圧レベルを高くして前記ＣＲＴドライブ回路の出力トランジスタのコレクタに接続されたＣＲＴドライブ端子電圧を高くするカットオフ回路と、前記カットオフ回路を電源ＯＮ時から一定時間動作させるパルス入力手段とを備え、電源ＯＮ時に前記ＤＣ制御回路が前記ＲＧＢ信号のＤＣ成分を高くする制御をしても、前記パルス入力により前記カットオフ回路を電源ＯＮ時から一定時間動作させて電源ＯＮ時にＣＲＴドライブ端子電圧を高くすることにより、前記ドライブ回路から出力され前記ＣＲＴドライブ回路の入力トランジスタのベースに入力される前記ＲＧＢ信号の直流成分電圧が低くなるようにしたことを特徴とするものであり、又、ＲＧＢ信号入力の直流成分をコントロールして前記直流成分が低電圧の時は前記直流成分電圧を高くするＤＣ制御回路と、前記ＤＣ制御回路の出力信号を増幅するドライブ回路と、前記ドライブ回路から出力されるＲＧＢ出力信号のペデスタル電圧と基準直流電圧とを比較してその差に応じた電流を出力するペデスタル比較回路と、前記ペデスタル比較回路から出力される出力電流を蓄積するアース接地されたコンデンサと、前記ドライブ回路から出力されるＲＧＢ信号が入力されるＣＲＴドライブ回路の出力トランジスタをカットオフさせて前記ＣＲＴドライブ回路の前記出力トランジスタのコレクタから出力される直流電圧レベルを高くして前記出力トランジスタのコレクタに接続されたＣＲＴドライブ端子電圧を高くするカットオフ回路と、前記カットオフ回路を電源ＯＮ時から一定時間動作させるパルス入力手段とを備え、電源ＯＮ時に前記ＤＣ制御回路が前記ＲＧＢ信号のＤＣ成分を高くする制御をしても、前記パルス入力により前記カットオフ回路を電源ＯＮ時から一定時間動作させて電源ＯＮ時にＣＲＴドライブ端子電圧を高くすることにより、前記ドライブ回路から出力され前記ＣＲＴドライブ回路の入力トランジスタのベースに入力される前記ＲＧＢ信号の直流成分電圧が低くなるようにしたことを特徴とするものであり、又、ＲＧＢ信号入力の直流成分をコントロールして前記直流成分が低電圧の時は前記直流成分電圧を高くするＤＣ制御回路と、前記ＤＣ制御回路の出力信号を増幅するドライブ回路と、前記ドライブ回路から出力されるＲＧＢ出力信号のペデスタル電圧と基準直流電圧とを比較してその差に応じた電流を出力するペデスタル比較回路と、前記ペデスタル比較回路から出力される出力電流を蓄積するアース接地されたコンデンサと、前記ドライブ回路から出力されるＲＧＢ信号が入力されるＣＲＴドライブ回路の出力トランジスタのコレクタ電圧をＨＩＧＨにして前記ＣＲＴドライブ回路の前記出力トランジスタのコレクタから出力される直流電圧レベルを高くして前記出力トランジスタのコレクタに接続されたＣＲＴドライブ端子電圧を高くするドライブオフ回路と、前記ドライブオフ回路を電源ＯＮ時から一定時間動作させるパルス入力手段とを備え、電源ＯＮ時に前記ＤＣ制御回路が前記ＲＧＢ信号のＤＣ成分を高くする制御をしても、前記パルス入力により前記ドライブオフ回路を電源ＯＮ時から一定時間動作させて電源ＯＮ時にＣＲＴドライブ端子電圧を高くすることにより、前記ドライブ回路から出力され前記ＣＲＴドライブ回路の入力トランジスタのベースに入力される前記ＲＧＢ信号の直流成分電圧が低くなるように構成したことを特徴とするものである。更に、また、ＣＲＴドライブ回路に入力する信号の電圧（図４の４０２ＲＧＢ出力電圧）が、電源ＯＮ時に低い電圧から動作を始めるような回路を備えた構成として、直流成分がコントロールされたＲＧＢ信号入力を増幅するＣＲＴドライブ回路に入力する前のＲＧＢ信号を出力するドライブ回路と、前記ドライブ回路から出力されるＲＧＢ信号と基準電圧とをペデスタル期間だけ比較し、その差に応じて直流電流を出力するペデスタル比較回路と、前記ペデスタル比較回路から出力される出力電流を蓄積するとともに電源ＯＮ時に前記ＲＧＢ信号出力がＬＯＷよりはじまるようアースをＶＣＣにしたコンデンサと、前記コンデンサに蓄積された電圧を入力としＲＧＢ信号のＤＣ成分を制御するＤＣ制御回路とを備え、前記コンデンサのアースをＶＣＣにして、電源ＯＮ時に前記コンデンサの端子電圧を高くすることにより、電源ＯＮ時に前記ＤＣ制御回路が前記ＲＧＢ出力信号のＤＣ成分を高くする制御を行わないようにしたことを特徴とするものである。
【０００８】
【作用】
本発明は上記した構成により、電源ＯＮ時にＣＲＴが異常発光するを防ぐことが出来る。
【０００９】
【実施例】
以下、電源ＯＮ時の異常発光除去回路の実施例について、図面を参照しながら説明する。
【００１０】
(実施例１)
図１は、本発明の一実施例における電源ＯＮ時の異常発光除去回路の概略構成ブロック図を示す。図１において、１０１はＲＧＢ信号入力、１０２はマイコン等から入力され、電源ＯＮ時より一定時間だけＨＩＧＨ（Ｈ）またはＬＯＷ（Ｌ）になるパルス入力、１０３はＣＲＴドライブ端子、１０４は前記パルス入力１０２を入力とし、Ｑ１０１エミッタに接続し、Ｑ１０１を一定時間カットオフさせるカットオフ回路。Ｑ１０１はＲＧＢ入力信号をベースに入力する入力トランジスター、Ｑ１０２は前記入力トランジスターのコレクター電流をベース接地にてエミッタより入力し、コレクターに負荷抵抗を付けると同時にＣＲＴドライブ端子に接続する出力トランジスターである。
【００１１】
以上のように構成された電源ＯＮ時の異常発光除去回路について、その動作を説明する。
【００１２】
まず、パルス入力１０２が電源ＯＮより一定時間だけＨまたはＬになると、カットオフ回路１０４の出力である入力トランジスターＱ１０１のエミッタがＨになりカットオフする。入力トランジスターＱ１０１がカットオフすると出力トランジスターＱ１０２に流れる電流も０になり、ＣＲＴドライブ端子がＨとなるため、ＣＲＴの異常発光が抑圧される。
【００１３】
図５は図１の具体回路を示すもので、７０１、７０２、７０３は図１の１０１に相当するＲＧＢ入力信号、７０４は図１の１０２に相当するパルス信号入力、７０５は図１の１０３に相当するＣＲＴドライブ端子、Ｑ７０４，Ｑ７０６，Ｑ７０７は図１のＱ１０１に相当する入力トランジスター、Ｑ７０５は図１のＱ１０２に相当する出力トランジスター、Ｑ７００、Ｑ７０１，Ｑ７０２，Ｑ７０３，Ｑ７０８、Ｑ７０９、Ｄ７０１は図１のカットオフ回路１０４に相当する具体回路である。
【００１４】
以上のように構成された電源ＯＮ時異常発光除去回路の具体回路について、その動作を説明する。
【００１５】
まず、パルス入力７０４がＨになると、Ｑ７００がＯＮし、Ｑ７０１もＯＮする。Ｑ７０１がＯＮすると、電圧７０６が電源電圧Ｖｃｃ２に引き上げられ、Ｑ７０２がカットオフすると同時にＤ７０１がＯＮするため、Ｑ７０３、Ｑ７０８、Ｑ７０９のベース電圧がＶｃｃ２よりも約０．７Ｖ低くなる。よってＱ７０４、Ｑ７０６、Ｑ７０７がカットオフし、ＣＲＴドライブ端子７０５等がＨとなるため、ＣＲＴの異常発光が抑圧される。
（実施例２）
図２は本発明の一実施例における電源ＯＮ時の異常発光除去回路の概略構成ブロック図を示す。図２において、２０１はＲＧＢ信号入力、２０２はマイコン等から入力され、電源ＯＮ時より一定時間だけＨＩＧＨ（Ｈ）またはＬＯＷ（Ｌ）になるパルス入力、２０３はＣＲＴドライブ端子、２０４は前記２０２パルス入力を入力とし、Ｑ２０２エミッタに接続し、Ｑ２０２を一定時間カットオフさせるカットオフ回路、Ｑ２０１はＲＧＢ入力信号をベースに入力する入力トランジスター、Ｑ２０２は前記入力トランジスターのコレクター電流をベース接地にてエミッタより入力し、コレクターに負荷抵抗を付けると同時にＣＲＴドライブ端子に接続する出力トランジスターである。
【００１６】
以上のように構成された電源ＯＮ時異常発光除去回路について、その動作を説明する。
【００１７】
まず、パルス入力２０２が電源ＯＮより一定時間だけＨまたはＬになると、カットオフ回路２０４の出力であるＱ２０２エミッタがＨになり、Ｑ２０２がカットオフする。Ｑ２０２がカットオフすると、ＣＲＴドライブ端子がＨとなるため、ＣＲＴの異常発光が抑圧される。
【００１８】
図６は図２の具体回路を示すもので、８０１、８０２、８０３は図２の２０１に相当するＲＧＢ入力信号、８０４は図２の２０２に相当するパルス信号入力、８０５は図２の２０３に相当するＣＲＴドライブ端子、Ｑ８０４，Ｑ８０６、Ｑ８０９は図２のＱ２０１に相当する入力トランジスター、Ｑ８０３、Ｑ８０５、Ｑ８０８は図２のＱ２０２に相当する出力トランジスター、Ｑ８００、Ｑ８０１、Ｑ８０２，Ｑ８０７，Ｑ８１０は図２のカットオフ回路に相当する具体回路である。
【００１９】
以上のように構成された電源ＯＮ時異常発光除去回路の具体回路について、その動作を説明する。
【００２０】
まず、パルス入力８０４がＨになると、Ｑ８００がＯＮし、Ｑ８０１もＯＮする。Ｑ８０１がＯＮすると、８０６の電圧が電源電圧Ｖｃｃ３に引き上げられ、Ｑ８０２、Ｑ８０７、Ｑ８１０のベース電圧がＶｃｃ２になる。よってＱ８０３、Ｑ８０５、Ｑ８０８がカットオフし、ＣＲＴドライブ端子８０５等がＨとなるため、ＣＲＴの異常発光が抑圧される。
（実施例３）
図３は本発明の一実施例における電源ＯＮ時の異常発光除去回路の概略構成ブロック図を示す。図３において、３０１はＲＧＢ信号入力、３０２はマイコン等から入力され、電源ＯＮ時より一定時間だけＨＩＧＨまたはＬＯＷになるパルス入力、３０３はＣＲＴドライブ端子、３０４は前記パルス入力３０２を入力とし、ＣＲＴドライブ端子３０３をＨにする回路、Ｑ３０１はＲＧＢ入力信号をベースに入力する入力トランジスター、Ｑ３０２は前記入力トランジスターＱ３０１のコレクター電流をベース接地にてエミッタより入力し、コレクターに負荷抵抗を付けると同時にドライブオフ回路に接続する出力トランジスターである。
【００２１】
以上のように構成された電源ＯＮ時異常発光除去回路について、その動作を説明する。
【００２２】
まず、パルス入力３０２が電源ＯＮより一定時間だけＨまたはＬになると、ＣＲＴドライブ端子３０３がＨとなるようにドライブカットオフ回路３０４が動作するため、ＣＲＴの異常発光が抑圧される。
【００２３】
図７は図３の具体回路を示すもので、９０１は図３の３０１に相当するＲＧＢ入力信号、９０２は図３の３０２に相当するパルス信号入力、９０３は図３の３０３に相当するＣＲＴドライブ端子、Ｑ９０３は図３のＱ９０１に相当する入力トランジスター、Ｑ９０２は図３のＱ３０２に相当する出力トランジスター、Ｑ９００、Ｑ９０１は図３のカットオフ回路に相当する具体回路である。
【００２４】
以上のように構成された電源ＯＮ時異常発光除去回路の具体回路について、その動作を説明する。
【００２５】
まず、パルス入力９０２がＨになると、Ｑ９００がＯＮし、Ｑ９０１もＯＮする。Ｑ９０１がＯＮすると、ＣＲＴドライブ端子９０３がＨとなるため、ＣＲＴの異常発光が抑圧される。
（実施例４）
図４は本発明の一実施例における電源ＯＮ時の異常発光除去回路を示す。図４において４０１は同期信号下向きのＲＧＢ入力信号、４０２は増幅され、かつペデスタルクランプされたＲＧＢ信号出力、４０３はペデスタル比較回路の出力直流電圧、４０４はＲＧＢ入力信号の直流成分をコントロールするＤＣ制御回路、４０５は前記ＤＣ制御回路４０４の出力信号を増幅するドライブ回路、４０６はＲＧＢ出力信号のペデスタル電圧と基準直流電圧とを比較し、その差に応じた電流を出力するペデスタル比較回路、４０７は前記ペデスタル比較回路に入力する基準ＤＣ電圧、４０８は前記ペデスタル比較回路の出力電流を蓄えるコンデンサーである。
【００２６】
以上のように構成された電源ＯＮ時の異常発光除去回路の具体回路について、その動作を説明する。
【００２７】
まず、前記「発明が解決しようとする課題」において明らかにしたように、課題は図８のコンデンサー電圧５０３が電源ＯＮ時にＬＯＷから始まるから、ＤＣ制御回路出力５０４がＨになり、結果ＲＧＢ出力５０２がＨより始まることにあった。そこで、図４に示すようにコンデンサーのアースをＶｃｃにする事で、コンデンサー電圧４０３が電源ＯＮ時にＨＩＧＨから始まるようにした。そうすることで、ＤＣ制御回路出力４０４はＬになり、その結果ＲＧＢ出力４０２の電圧はＬより始まることとなる。
【００２８】
【発明の効果】
以上のように本発明はＣＲＴドライブ段の入力、出力トランジスターを一定時間カットオフさせるカットオフ回路と、ＣＲＴドライブ端子をＨにするドライブオフ回路を設けたり、またはＣＲＴドライブに入力するＲＧＢ信号をクランプする回路のクランプコンデンサーのアースをＶｃｃにすることにより、電源ＯＮ時の異常発光を抑圧することができる。
【図面の簡単な説明】
【図１】本発明の一実施例における電源ＯＮ時の異常発光除去回路の概略構成ブロック図
【図２】本発明の一実施例における電源ＯＮ時異の常発光除去回路の概略構成ブロック図
【図３】本発明の一実施例における電源ＯＮ時異の常発光除去回路の概略構成ブロック図
【図４】本発明の一実施例における電源ＯＮ時異の常発光除去回路の概略構成ブロック図
【図５】図１の具体回路図
【図６】図２の具体回路図
【図７】図３の具体回路図
【図８】従来のテレビジョン受信機のブロック図
【図９】（ａ）  図８の動作説明図
（ｂ）  図８の動作説明図
【符号の説明】
１０１  ＲＧＢ信号入力
１０２    パルス入力
１０３    ＣＲＴドライブ端子
１０４    カットオフ回路
Ｑ１０１    入力トランジスター
Ｑ１０２    出力トランジスター
２０１  ＲＧＢ信号入力
２０２    パルス入力
２０３    ＣＲＴドライブ端子
２０４    カットオフ回路
Ｑ２０１    入力トランジスター
Ｑ２０２    出力トランジスター
３０１  ＲＧＢ信号入力
３０２    パルス入力
３０３    ＣＲＴドライブ端子
３０４    カットオフ回路
Ｑ３０１    入力トランジスター
Ｑ３０２    出力トランジスター
４０１    ＲＧＢ信号入力
４０２  ＲＧＢ信号出力
４０３  ペデスタル比較回路の出力直流電圧
４０４  ＤＣ制御回路
４０５  ドライブ回路
４０６  ペデスタル比較回路
４０７  基準ＤＣ
４０８  コンデンサー
【図１】
0003567192.tif 000002
【図２】
0003567192.tif 000003
【図３】
0003567192.tif 000004
【図４】
0003567192.tif 000005
【図５】
0003567192.tif 000006
【図６】
0003567192.tif 000007
【図７】
0003567192.tif 000008
【図８】
0003567192.tif 000009
【図９】
0003567192.tif 000010